【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
分散音響センシングの方法であって、
選択された地理的領域を横切って延びる経路を有する光ファイバケーブル設備を選択するステップであって、前記光ファイバケーブル設備は光ファイバの束を含み、確立された専用の光ファイバ通信ネットワークの一部を形成し、前記光ファイバの束は、（１）通信トラフィックを搬送する少なくとも１つの光ファイバ又はチャネルを備える第１のサブセットと、（２）通信のために未使用または点灯されていない少なくとも１つの光ファイバ又はチャネルを備える第２のサブセットと、を含む、ステップと、
分散音響検知のため前記光ファイバの束の前記少なくとも１つの光ファイバ又はチャネルの前記第２のサブセットを再表面化するステップと、
前記光ファイバの束の長さに沿った１つ以上の位置と前記選択された地理的エリア内の対応する１つ以上の位置との間の地理的にマッピングすることを含む、選択された光ファイバケーブル設備内の前記光ファイバの束の少なくとも一部に関連する特性を決定するステップと、
前記少なくとも１つの光ファイバ又はチャネルの前記第２のサブセットを介して出射光を伝送するステップと、
前記光ファイバ又はチャネルの前記第２のサブセットに沿って後方散乱された反射光を受信するステップであって、前記反射光は時間にわたる変動を含む、ステップと、及び、
変動および決定された特性に基づいて、音響事象を表す警報信号を生成するステップと、
を含む分散音響センシングの方法。
【請求項２】
前記光ファイバ通信ネットワークは、確立された都市または大都市エリアネットワークである請求項１に記載の方法。
【請求項３】
前記光ファイバ通信ネットワークは、企業ネットワークである請求項１に記載の方法。
【請求項４】
前記企業ネットワークは、光ファイバ設備によって相互接続された複数のデータセンターを含む、請求項３に記載の方法。
【請求項５】
前記地理的にマッピングするステップは、
前記少なくとも１つの光ファイバ又はチャネルの前記第２のサブセットに沿った前記１つ以上の位置において、または前記１つ以上の位置に隣接して音響較正信号を生成するステップと、
地球の表面上の地理的座標に関して前記位置の地理的位置を決定および記録するステップと、
前記少なくとも１つの光ファイバ又はチャネルの前記第２のサブセットに沿って後方散乱された受信された反射光における前記地理的領域内の前記１つ以上の位置における対応する変動を検出するステップと、
前記１つ以上の地理的位置に対応する前記少なくとも１つの光ファイバ又はチャネルの前記第２のサブセットの経路長を決定するステップと、
を更に含む、請求項１〜４の何れか１項に記載の方法。
【請求項６】
前記地理的にマッピングするステップは、前記少なくとも１つの光ファイバ又はチャネルの前記第２のサブセットの経路長を前記１つ以上の位置の地理的座標と相関させて、前記経路長を地理的座標と相関させるルックアップテーブルを生成するステップを更に含む、請求項５に記載の方法。
【請求項７】
前記警報信号を生成することは、前記マッピングに基づいて検出された対応する変動に基づいて、前記選択された地理的領域におけるインシデントの発生の位置を決定することを含む、請求項１〜６の何れか１項に記載の方法。
【請求項８】
前記特性を決定することは、望ましくない音響干渉の影響を低減するために、前記少なくとも１つの光ファイバ又はチャネルの前記第２のサブセットを音響的に較正することを含む、請求項１〜７の何れか１項に記載の方法。
【請求項９】
前記音響的に較正することは、スペクトルフィルタを前記変動に適用して、望ましくない音響干渉を帯域通過または帯域阻止することを含む、請求項８に記載の方法。
【請求項１０】
前記選択された地理的エリアは前記少なくとも１つの光ファイバ又はチャネルの前記第２のサブセットの複数のセクションに対応する複数のゾーンを含み、
前記スペクトルフィルタを適用するステップは、前記複数のゾーンまたは対応するセクションのうちの１つに基づいて、帯域通過または帯域阻止特性を有する前記スペクトルフィルタを適用するステップを含む、請求項９に記載の方法。
【請求項１１】
前記スペクトルフィルタを適用するステップは、一日の時間および一週間の曜日の少なくとも１つに基づいて、帯域通過特性または帯域阻止特性を有するスペクトルフィルタを適用することを含む、請求項９に記載の方法。
【請求項１２】
前記特性を決定することは、前記少なくとも１つの光ファイバ又はチャネルの前記第２のサブセットを物理的に較正することを含む、請求項１〜１１の何れか１項に記載の方法。
【請求項１３】
前記物理的に較正することが、前記少なくとも１つの光ファイバ又はチャネルの前記第２のサブセットのコア特性、減衰特性、およびトレンチ特性のうちの任意の１つまたは複数を取得することを含む、請求項１２に記載の方法。
【請求項１４】
前記コア特性は、コア直径および開口数の少なくとも１つを含む、請求項１３に記載の方法。
【請求項１５】
前記減衰特性は、伝搬損失、既存の欠陥、および接合点の少なくとも１つを含む、請求項１３に記載の方法。
【請求項１６】
前記トレンチ特性は、埋設条件およびケーブル同封物条件の少なくとも１つを含む、請求項１３に記載の方法。
【請求項１７】
前記警報信号を生成することは、前記変動の音響シグネチャに基づいて、前記警報信号を１つまたは複数のクラスの警報に分類することを含む、請求項１〜１６の何れか１項に記載の方法。
【請求項１８】
選択された地理的エリアは前記少なくとも１つの光ファイバ又はチャネルの前記第２のサブセットの複数のセクションに対応する複数のゾーンを含み、各ゾーンまたは対応するセクションは、１つまたは複数の選択されたクラスの警報の生成に関連付けられる、請求項１７に記載の方法。
【請求項１９】
選択された地理的エリアは前記少なくとも１つの光ファイバ又はチャネルの前記第２のサブセットの複数のセクションに対応する複数のゾーンを含み、各ゾーンまたは対応するセクションは、１つまたは複数の除外されたクラスの警報の非生成に関連付けられる、請求項１７に記載の方法。
【請求項２０】
前記少なくとも１つの光ファイバ又はチャネルの前記第２のサブセットの各ゾーンまたはセクションに対応する前記１つまたは複数の選択されたまたは除外されたクラスの警報は、レール監視、道路監視、および周辺侵入検出の少なくとも１つに関連する、請求項１８又は１９に記載の方法。
【請求項２１】
光スイッチを介して複数の光ファイバケーブル設備に分散音響センシング（ＤＡＳ）を結合するステップを更に備え、
前記光ファイバケーブル設備は、前記光スイッチにより複数の光ファイバケーブル設備から選択され、
前記警報信号は、前記分散音響センシング（ＤＡＳ）により、前記変動および前記決定された特性に基づいて、生成される、
請求項１〜２０の何れか１項に記載の方法。
【請求項２２】
前記少なくとも１つの光ファイバ又はチャネルの前記第２のサブセットは、発掘、掘削、掘り出し、ボアトンネリング、交通の流れ、通り過ぎる列車、又は前記選択された地理的領域の近く又は前記選択された地理的領域内の歩行者の流れの音響事象を検出するように音響センシングに適用するために、再表面化される、請求項１〜２１の何れか１項に記載の方法。